(57)【要約】      （修正有）【課題】製造および設計変更を容易かつ安価に実現することができるようにした、意匠性を向上させた発光装置を提供する。【解決手段】面発光ダイオード１３１により発せられた光を、面発光ダイオード１３１とは別体の透明部材１０３が、面発光ダイオード１３１と対面するように発光面近傍に設けられた所定の受光面より受光し、中実構造の内部を透過させ、略球形状の出光部１４２の表面から外部に出射する。さらに、設置台１０１が、透明部材１０３の出光部１４２以外の部分の表面を遮光するとともに、出射された光の出射方向から、光を出射する出光部１４２のみが見えるように、出射方向に対して、基板１０２および透明部材１０３の出光部１４２以外の部分を遮蔽する。【選択図】図３
2009042310.tif 000002
【特許請求の範囲】
【請求項１】
所定の発光面より光を発する発光手段と、
前記発光手段により発せられた光を、前記発光手段と対面するように前記発光面近傍に設けられた所定の受光面より受光し、中実構造の内部を透過させ、立体形状を有する部位である立体部表面から外部に出射する、前記発光手段と別体の出光手段と、
前記発光手段および前記出光手段を、前記出光手段の前記受光面が前記発光手段の前記平面近傍において前記発光手段と対面するような位置に支持し、さらに、前記出光手段が前記立体部のみから光を出射するように前記出光手段の前記立体部以外の部分の表面を遮光するとともに、出射された前記光の出射方向から、前記光を出射する前記立体部のみが見えるように、前記出射方向に対して、前記発光手段および前記出光手段の前記立体部以外の部分を遮蔽する支持手段と
を備える発光装置。
【請求項２】
前記発光手段、および、前記出光手段は、それぞれ、前記支持手段より着脱可能である
請求項１に記載の発光装置。
【請求項３】
前記発光手段は、面状に配置され、互いに同一方向に発光し、共通の発光面を形成する複数の発光素子を有する
請求項１に記載の発光装置。
【請求項４】
発光させる発光素子の数を制御することにより、前記発光手段が発する光の光量を制御する制御手段をさらに備える
請求項３に記載の発光装置。
【請求項５】
各発光素子は、それぞれ予め定められた所定の色の光を発し、
前記発光手段は、全発光素子により複数の色の光を発する
請求項３に記載の発光装置。
【請求項６】
発光させる発光素子を切り替えることにより、前記発光手段が発する光の色を制御する制御手段をさらに備える
請求項５に記載の発光装置。
【請求項７】
前記立体部は、略球状に形成される
請求項１に記載の発光装置。
【請求項８】
前記立体部の表面は、出射される光が拡散するように表面処理が施されている
請求項１に記載の発光装置。
【請求項９】
前記立体部は、内部を透過する光を拡散させる光拡散材により形成される
請求項１に記載の発光装置。
【請求項１０】
前記出光手段は、前記受光面において受光した光を前記立体部に誘導する導光部を有する
請求項１に記載の発光装置。
【請求項１１】
前記導光部は、略円筒状に形成され、さらに、前記立体部近傍において徐々に細くなるように形成される
請求項１０に記載の発光装置。
【請求項１２】
直線状に可動な可動部を有し、前記可動部の動きに応じて所定の電気回路の端子間の電気的な接続状態を切り替える切り替え手段と、
前記切り替え手段により切り替えられる前記端子間の接続状態に応じて前記発光手段の発光状態を変化させる制御手段と
をさらに備え、
前記出光手段が、前記可動部を押下するように移動し、
前記切り替え手段は、前記出光手段の移動により押下される前記可動部の動きに応じて前記端子間の電気的な接続または切断を行い、
前記発光手段は、前記制御手段の制御に基づいて発光を行い、前記端子間が電気的に接続されている場合と、切断されている場合とで、発光状態を変化させる
請求項１に記載の発光装置。
【請求項１３】
回転方向に可動な可動部を有し、前記可動部の動きに応じて所定の電気回路の端子間の抵抗値を変化させる抵抗値変化手段と、
前記抵抗値変化手段により変化される前記端子間の抵抗値に応じて、前記発光手段が発光量を制御する制御手段と
をさらに備え、
前記出光手段が、前記可動部を回転させるように可動し、
前記切り替え手段は、前記出光手段により押下される前記可動部の動きに応じて前記端子間の抵抗値を変化させ、
前記発光手段は、前記制御手段の制御に基づいて発光を行い、前記端子間の抵抗値に応じて、発光量を変化させる
請求項１に記載の発光装置。
【発明の詳細な説明】
【技術分野】
【０００１】
本発明は、発光装置に関し、特に、製造および設計変更を容易かつ安価に実現することができるようにした、意匠性を向上させた発光装置に関する。
【背景技術】
【０００２】
従来、機器の内部動作状態を表示するインジケータがある。インジケータは、例えば、正常動作時には緑色に点灯し、異常発生時には赤色に点灯するなど、その発光方法の変化により動作状態の変化を示す。このようなインジケータとして、発光ダイオード（LED（Light Emitting Diode））（例えば、特許文献１参照）を用いる方法が考えられる。例えば図１に示されるように、筐体２の前面に発光ダイオード１を配置し、その発光ダイオード１の発光色の変化や、点灯、点滅、および消灯等のように発光方法の変化により、内部動作状態を表わすようにする。しかしながら、このようなインジケータは、単に内部動作状態を表示するのみであり、平面的で立体感が無く、意匠としての面白みに欠ける（つまり意匠性が低い）。
【０００３】
また、例えば、レンズ等を用いて発光ダイオードの発光効果を向上させる方法も考えられる（例えば、特許文献２および特許文献３参照）。例えば、特許文献２に記載の方法の場合、発光ダイオードを覆うハウジングの発光ダイオードに対向する位置に、球面平凸レンズの中央に球面凹レンズを組み合わせた非球面レンズを配置することにより、光の照射範囲を広げるようにしている。また、例えば、特許文献３の場合、光源から出射される光のうち不要光を反射させ、再利用している。
【０００４】
しかしながら、いずれの場合も、発光部分は、平面的に見え、立体感が無く、意匠性が低い。
【０００５】
そこで、より意匠性を向上させるために、インジケータを立体的な形状にすることが考えられる。例えば、インジケータを球形状にすることにより正面および斜めのどちらからも円形に見えるようにする。
【０００６】
このような立体的に見えるインジケータを実現するにあたって、例えば、図２Ａに示されるように、所謂豆電球３を用いる方法が考えられる。また、例えば、図２Ｂに示されるように、基板４に配置される発光ダイオード５を球形状の中空のカバー（球状カバー６）で覆うことも考えられる。
【０００７】
【特許文献１】特許２８１２６１４号
【特許文献２】特開２００７−５３０２７号公報
【特許文献３】特開２００５−９９８８２号公報
【発明の開示】
【発明が解決しようとする課題】
【０００８】
しかしながら、豆電球を用いる場合、インジケータとして消費電力が大きく、また、寿命が短すぎる恐れがあった。また、発光ダイオードを球形の中心部に設ける方法の場合、中空の球状カバー６が必要になり、インジケータとして構造が複雑になり、製造コストが増大する恐れがあった。また、多色発光させるために単色の発光ダイオードを複数用いる場合、それら全てを球状カバー６内に設置することになるため、結果的に、球状カバーの径が、インジケータとして大きくなりすぎてしまう恐れがあった。なお、複数色の発光が可能な発光ダイオードを用いる方法も考えられるが、多色発光可能な発光ダイオードは単色の発光ダイオードと比べて価格が高く、製造コストが増大する恐れがあった。
【０００９】
本発明は、このような従来の実情に鑑みて提案されたものであり、意匠性を向上させた発光装置の製造および設計変更を、容易かつ安価に実現することができるようにするものである。
【課題を解決するための手段】
【００１０】
本発明の一側面は、所定の発光面より光を発する発光手段と、前記発光手段により発せられた光を、前記発光手段と対面するように前記発光面近傍に設けられた所定の受光面より受光し、中実構造の内部を透過させ、立体形状を有する部位である立体部表面から外部に出射する、前記発光手段と別体の出光手段と、前記発光手段および前記出光手段を、前記出光手段の前記受光面が前記発光手段の前記平面近傍において前記発光手段と対面するような位置に支持し、さらに、前記出光手段が前記立体部のみから光を出射するように前記出光手段の前記立体部以外の部分の表面を遮光するとともに、出射された前記光の出射方向から、前記光を出射する前記立体部のみが見えるように、前記出射方向に対して、前記発光手段および前記出光手段の前記立体部以外の部分を遮蔽する支持手段とを備える発光装置である。
【００１１】
前記発光手段、および、前記出光手段は、それぞれ、前記支持手段より着脱可能であることができる。
【００１２】
前記発光手段は、面状に配置され、互いに同一方向に発光し、共通の発光面を形成する複数の発光素子を有することができる。
【００１３】
発光させる発光素子の数を制御することにより、前記発光手段が発する光の光量を制御する制御手段をさらに備えることができる。
【００１４】
各発光素子は、それぞれ予め定められた所定の色の光を発し、前記発光手段は、全発光素子により複数の色の光を発することができる。
【００１５】
発光させる発光素子を切り替えることにより、前記発光手段が発する光の色を制御する制御手段をさらに備えることができる。
【００１６】
前記立体部は、略球状に形成されることができる。
【００１７】
前記立体部の表面は、出射される光が拡散するように表面処理が施されているようにすることができる。
【００１８】
前記立体部は、内部を透過する光を拡散させる光拡散材により形成されるようにすることができる。
【００１９】
前記出光手段は、前記受光面において受光した光を前記立体部に誘導する導光部を有することができる。
【００２０】
前記導光部は、略円筒状に形成され、さらに、前記立体部近傍において徐々に細くなるように形成されるようにすることができる。
【００２１】
直線状に可動な可動部を有し、前記可動部の動きに応じて所定の電気回路の端子間の電気的な接続状態を切り替える切り替え手段と、前記切り替え手段により切り替えられる前記端子間の接続状態に応じて前記発光手段の発光状態を変化させる制御手段とをさらに備え、前記出光手段が、前記可動部を押下するように移動し、前記切り替え手段は、前記出光手段の移動により押下される前記可動部の動きに応じて前記端子間の電気的な接続または切断を行い、前記発光手段は、前記制御手段の制御に基づいて発光を行い、前記端子間が電気的に接続されている場合と、切断されている場合とで、発光状態を変化させることができる。
【００２２】
回転方向に可動な可動部を有し、前記可動部の動きに応じて所定の電気回路の端子間の抵抗値を変化させる抵抗値変化手段と、前記抵抗値変化手段により変化される前記端子間の抵抗値に応じて、前記発光手段が発光量を制御する制御手段とをさらに備え、前記出光手段が、前記可動部を回転させるように可動し、前記切り替え手段は、前記出光手段により押下される前記可動部の動きに応じて前記端子間の抵抗値を変化させ、前記発光手段は、前記制御手段の制御に基づいて発光を行い、前記端子間の抵抗値に応じて、発光量を変化させることができる。
【００２３】
本発明の一側面においては、所定の発光面より光が発せられ、その光が、発光面と対面するように発光面近傍に設けられた所定の受光面より受光され、中実構造の内部を透過させられ、立体形状を有する部位である立体部表面から外部に出射させられ、発光部および出光部が互いに別体として構成され、それらが、出光部の受光面が発光部の平面近傍において発光部と対面するような位置に支持され、さらに、出光部が立体部のみから光を出射するように出光部の立体部以外の部分の表面が遮光されるとともに、出射された光の出射方向から、光を出射する立体部のみが見えるように、出射方向に対して、発光部および出光部の立体部以外の部分が遮蔽される。
【発明の効果】
【００２４】
本発明によれば、発光装置の意匠性を向上させることができる。特に、意匠性を向上させた発光装置の製造および設計変更を、容易かつ安価に実現することができる。
【発明を実施するための最良の形態】
【００２５】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２６】
本発明の一側面は、所定の発光面より光を発する発光手段（例えば、図３の面発光ダイオード１３１）と、前記発光手段により発せられた光を、前記発光手段と対面するように前記発光面近傍に設けられた所定の受光面より受光し、中実構造の内部を透過させ、立体形状を有する部位である立体部（例えば、図３の出光部１４２）表面から外部に出射する、前記発光手段と別体の出光手段（例えば、図３の透明部材１０３）と、前記発光手段および前記出光手段を、前記出光手段の前記受光面が前記発光手段の前記平面近傍において前記発光手段と対面するような位置に支持し、さらに、前記出光手段が前記立体部のみから光を出射するように前記出光手段の前記立体部以外の部分の表面を遮光するとともに、出射された前記光の出射方向から、前記光を出射する前記立体部のみが見えるように、前記出射方向に対して、前記発光手段および前記出光手段の前記立体部以外の部分を遮蔽する支持手段（例えば、図３の設置台１０１）とを備える発光装置（例えば、図３のインジケータ１００）である。
【００２７】
前記発光手段は、面状に配置され、互いに同一方向に発光し、共通の発光面を形成する複数の発光素子（例えば、図３の面発光ダイオード）を有することができる。
【００２８】
発光させる発光素子の数を制御することにより、前記発光手段が発する光の光量を制御する制御手段（例えば、図５の発光制御部１７１）をさらに備えることができる。
【００２９】
発光させる発光素子を切り替えることにより、前記発光手段が発する光の色を制御する制御手段（例えば、図５の発光制御部１７１）をさらに備えることができる。
【００３０】
前記出光手段は、前記受光面において受光した光を前記立体部に誘導する導光部（例えば、図３の導光部１４１）を有することができる。
【００３１】
前記導光部は、略円筒状に形成され、さらに、前記立体部近傍において徐々に細くなるように形成される（例えば、図１２の導光部４４１）ようにすることができる。
【００３２】
直線状に可動な可動部を有し、前記可動部の動きに応じて所定の電気回路の端子間の電気的な接続状態を切り替える切り替え手段（例えば、図１３Ａのスイッチ４６１）と、前記切り替え手段により切り替えられる前記端子間の接続状態に応じて前記発光手段の発光状態を変化させる制御手段（例えば、図１３Ａの発光制御部４６２）とをさらに備え、前記出光手段が、前記可動部を押下するように移動し、前記切り替え手段は、前記出光手段の移動により押下される前記可動部の動きに応じて前記端子間の電気的な接続または切断を行い、前記発光手段は、前記制御手段の制御に基づいて発光を行い、前記端子間が電気的に接続されている場合と、切断されている場合とで、発光状態を変化させることができる。
【００３３】
回転方向に可動な可動部（例えば、図１３Ｂの軸４９２）を有し、前記可動部の動きに応じて所定の電気回路の端子間の抵抗値を変化させる抵抗値変化手段（例えば、図１３Ｂの可変抵抗）と、前記抵抗値変化手段により変化される前記端子間の抵抗値に応じて、前記発光手段が発光量を制御する制御手段（例えば、図１３Ｂの発光制御部４９４）とをさらに備え、前記出光手段が、前記可動部を回転させるように可動し、前記切り替え手段は、前記出光手段により押下される前記可動部の動きに応じて前記端子間の抵抗値を変化させ、前記発光手段は、前記制御手段の制御に基づいて発光を行い、前記端子間の抵抗値に応じて、発光量を変化させることができる。
【００３４】
以下、本発明の実施の形態について説明する。
【００３５】
図３は、本発明を適用したインジケータの構成例を示す斜視図である。
【００３６】
図３に示されるインジケータ１００は、例えば情報処理装置等に設けられ、発光の状態によって、その情報処理装置の動作状態をユーザ等外部に通知する。図３に示されるように、インジケータ１００は、基板１０２および透明部材１０３を支持する設置台１０１、所定の発光面より光を発する面発光ダイオード１３１が設けられた基板１０２、および面発光ダイオード１３１より発せられた光を透過し、出射する透明部材１０３により構成される。
【００３７】
設置台１０１の正面１０１Ａと反対側（背面側）には、基板１０２を装着する基板装着部１１１が設けられている。基板装着部１１１には、基板１０２を固定するためのツメ１１２およびツメ１１３等が設けられている。基板１０２が、矢印１５１のように動かされ、設置台１０１の基板装着部１１１に所定の姿勢で装着されると、その基板１０２を、ツメ１１２が垂直方向に、ツメ１１３が水平方向に、それぞれ固定する。なお、図示は省略するが、基板装着部１１１の側面（設置台１０１の垂直面）には、ツメ１１３と対向するように、基板１０２を水平方向に固定するツメが設けられている。これらのツメが基板１０２を側面および上面を押さえることにより、基板１０２は、どの方向に対しても固定される。つまり、基板１０２は、設置台１０１に対して安定した姿勢で支持される。
【００３８】
基板１０２は、これらのツメをずらすことにより、設置台１０１より着脱することができる。つまり、設置台１０１は、螺子や接着剤などを使用せずに、容易に基板１０２を着脱可能に支持することができる。
【００３９】
基板１０２には所定の電気回路がプリントされており、基板１０２に設置された面発光ダイオード１３１に電源電圧や制御信号等を供給することができる。面発光ダイオード１３１は、所定の光を発光する発光部として機能する。面発光ダイオード１３１は、高原として機能するものであればどのようなものを用いてもよいが、例えば、図３に示されるように、それぞれが、予め定められた所定の色を発光する、複数の、単色発光型の面発光ダイオードにより形成される。
【００４０】
また、設置台１０１の正面１０１Ａには、透明部材１０３を支持するための、透明部材装着部１２１が設けられている。この透明部材装着部１２１は、正面１０１Ａから略円筒状に突出した凸部１２２および凸部１２３が設けられており、これらの凸部１２２および凸部１２３に囲まれるように円形の孔部１２４が形成されている。この孔部１２４は、正面１０１Ａを貫通し、基板装着部１１１側まで達している。
【００４１】
これらの凸部１２２、凸部１２３、および孔部１２４は、主に、設置台１０１が透明部材１０３を支持するための構成である。円筒状の凸部１２２および凸部１２３の間には、溝１２５および溝１２６が設けられている。これらの溝１２５および溝１２６は、孔部１２４に沿って基板装着部１１１側に貫通している。
【００４２】
透明部材１０３は、例えば、プラスチックやガラス等のような、内部を光が透過可能な透明の部材により形成される。透明部材１０３は、導光部１４１および出光部１４２を有する。導光部１４１は、内部を透過する光を出光部１４２に誘導する。導光部１４１は、直径が孔部１２４の直径と略同程度であり、孔部１２４に嵌合可能な略円筒状に形成される。また、導光部１４１には、２つの凸部（凸部１４３および凸部１４４）が形成され、透明部材１０３（導光部１４１）が、これらの凸部１４３および凸部１４４と、設置台１０１の溝１２５および溝１２６の位置を互いに合わせた状態でのみ、孔部１２４と嵌合可能となるようになされている。矢印１５２のように孔部１２４に挿入することができるようになされている。
【００４３】
換言すれば、凸部１４３および凸部１４４の位置が溝１２５および溝１２６とずれている状態においては、透明部材１０３は、凸部１４３および凸部１４４が凸部１２２および凸部１２３に引っ掛かるので、孔部１２４に挿入することができない。なお、凸部１４３および凸部１４４と溝１２５および溝１２６の位置を合わせ、矢印１５２のように動かされ、透明部材１０３を孔部１２４に奥まで挿入する（嵌合させる）と、凸部１４３および凸部１４４は、孔部１２４より基板装着部１１１側に突き出るようになされている。そこからさらに、透明部材１０３を矢印１５３のように、導光部１４１長手方向を軸として回転させると、凸部１４３および凸部１４４の位置が溝１２５および溝１２６からずれるので、透明部材１０３は、凸部１４３および凸部１４４によって孔部１２４より引き抜くことができなくなる。つまり、この状態において、透明部材１０３は、設置台１０１に固定される（固定的に支持される）。
【００４４】
透明部材１０３を設置台１０１よりはずす場合は、透明部材１０３を、導光部１４１長手方向を軸として矢印１５３のように（または逆方向に）回転させ、凸部１４３および凸部１４４を溝１２５および溝１２６に合わせた上で、矢印１５２と逆方向に孔部１２４より引き抜くだけでよい。つまり、設置台１０１は、螺子や接着剤などを使用せずに、容易に透明部材１０３を着脱可能に支持することができる。
【００４５】
透明部材１０３の出光部１４２は、導光部１４１内部を透過した光を表面より出射する。出光部１４２は、略球形状に形成されており、正面方向から見ても斜め方向から見ても略円形に見えるように成されている。表面全体より均一に光を出射することができるように、出光部１４２の表面は、光を拡散するように表面処理が施されている。なお、出光部１４２（または透明部材１０３全体）を、光を拡散する素材（光拡散財）により形成するようにしてもよい。
【００４６】
図４は、図３のインジケータ１００の設置台１０１に基板１０２および透明部材１０３が装着された状態を示す斜視図である。
【００４７】
図４に示されるように、透明部材１０３は、設置台１０１に装着された状態において、出光部１４２のみが設置台１０１の外側に露出する。設置台１０１は、例えば黒色の、光を透過しない素材で形成されており、正面１０１Ａの出光部１４２側、すなわち、出光部１４２より出射された光の出射方向から出光部１４２が見えるようにし、透明部材１０３の導光部１４１および基板１０２を遮蔽する。
【００４８】
また、図４に示されるように、基板１０２が設置台１０１に装着された（支持されている）状態において、その基板１０２に設けられた面発光ダイオード１３１は、孔部１２４に対向する。また、図４に示されるように、透明部材１０３が設置台１０１に装着された（支持されている）状態において、その透明部材１０３の導光部１４１の、出光部１４２と反対側の面は、基板装着部１１１に装着された基板１０２の面発光ダイオード１３１の近傍に、面発光ダイオード１３１の発光面と対向するように位置する。
【００４９】
図５に示されるように、基板１０２には、発光制御部１７１が接続されており、発光制御部１７１の制御に基づいて、面発光ダイオード１３１は、発光を行う。導光部１４１は、出光部１４２と反対側の面が受光面となり、その面発光ダイオード１３１より発せられた光を受光する。
【００５０】
透明部材１０３の内部は透明の中実構造となされており、受光面より受光された光は、導光部１４１内部を透過し、出光部１４２より出射される。設置台１０１は、例えば黒色の、光を透過しない素材で形成されており、孔部１２４に挿入された導光部１４１の円筒面を外部より遮光する。つまり、受光面において受光された光のほとんどは、図５の矢印で示されるように、導光部１４１内部を透過し、直接的に、若しくは導光部１４１の円筒面において反射を繰り返しながら、出光部１４２に誘導される。さらに、出光部１４２に誘導された光は、図５の矢印で示されるように、出光部１４２表面においてその一部が反射されながら出射され、結果として出光部１４２表面全体より均一に出射される。
【００５１】
上述したように、光の出射方向からは出光部１４２のみが見えるので、出光部１４２が発光しているように（発光部のように）見える。つまり、インジケータ１００は、立体構造の発光体が発光するインジケータとして機能し、どの方向から見ても円状に光っているように見せることができるので、従来の平面状のインジケータに比べて、その意匠性を向上させることができる。また、このインジケータ１００は、上述したように単純な構造の、設置台１０１、基板１０２、および透明部材１０３により実現することができるので、安価に製造することができるとともに、設計変更も容易に行うことができる。
【００５２】
例えば、インジケータ１００の発光色を変更する場合は、基板１０２に装着される面発光ダイオード１３１を交換するだけでよい。さらに付言すれば、基板１０２を、発光色の異なる面発光ダイオード１３１が設けられた他の基板と交換するだけでよい。また、例えば、発光パターン等を変更する場合は、発光制御部１７１の制御方法を変更するだけでよい。さらに、例えば、出光部１４２の形状を変更する場合は、透明部材１０３を交換するだけでよい。
【００５３】
次に、このようなインジケータ１００の利用例について説明する。
【００５４】
図６は、本発明を適用したインジケータを用いたワークステーションの外観を示す斜視図である。
【００５５】
ワークステーション２００は、高性能のコンピュータを搭載した、AV（Audio Visual）データについて、３次元レンダリング処理等の高負荷の処理を高速に行う装置である。
【００５６】
図６に示されるように、ワークステーション２００の筐体は、上面および下面が他の面より広い、略直方体の形状を成している。このワークステーション２００の筐体の、設置時（使用時）にユーザ側に向けられる面である正面２００−１は、左右方向が長手方向となる略長方形の形状を成している。
【００５７】
詳細な構成については後述するが、この正面２００−１には、正面２００−１の略全面にわたって設けられた、小さなパンチ穴が多数穿孔された板状の部材であるパンチ穴パネル２０１と、その周囲を囲む枠部材２０２が設けられている。
【００５８】
このパンチ穴パネル２０１および枠部材２０２の内側に、光を出射する出光部１４２が、正面２００−１前方の筺体外部から見えるように、インジケータ１００が設置されている。
【００５９】
ワークステーション２００の筐体は、例えばアルミや鉄等の金属やプラスチック等により構成され、その色は、インジケータや印刷文字等以外は基本的に黒色、または、黒色に近い黒系の色とされる。
【００６０】
パンチ穴パネル２０１により視界が遮られるので、暗部となる筺体内部は見えにくくなっている。従って、光を出射していないとき（面発光ダイオード１３１が発光していないときの）の出光部１４２は、正面２００−１前方から見えにくくなっている。ただし、光を出射するとき（面発光ダイオード１３１が発光しているとき）の出光部１４２は、その出射光により黒色の周囲に対して目立ち、正面２００−１前方からその発光の様子がよく見えるようになされている。
【００６１】
つまり、インジケータ１００は、筺体内部（パンチ穴パネル２０１より内側）に設けられているものの、発光の様子（出光部１４２による光の出射の様子）は、外部より容易に視認することができるようになされており、インジケータとして十分に機能するようになされている。
【００６２】
図７は、図６に示されるワークステーション２００の正面２００−１から、パンチ穴パネル２０１および枠部材２０２をはずした状態を示している。図７に示されるように、インジケータ１００の設置台１０１の左右には、ワークステーション２００の筺体の強度を上げるための格子状の補強材２１１が設けられている。つまり補強材２１１が視界を遮るので、ワークステーション２００の筺体の外側（正面２００−１側）からは、さらに暗部となる、その補強材２１１の内側がより見えにくくなる（ほとんど見えないようになされている）。また、上述したように、設置台１０１により基板１０２や透明部材１０３の導光部１４１は隠蔽されている。特に、出光部１４２が光を出射しているときは、その出射光により、設置台１０１より奥の暗部がさらに見えにくくなる。
【００６３】
以上のように、事実上、正面２００−１側からは、略球形状の出光部１４２のみが見えるようになされており、例えば、正面２００−１側の斜め前方からパンチ穴パネル２０１の内側を見た場合でも、通常の場合、設置台１０１より内側の構成（例えば、基板１０２や導光部１４１）は、略見えないようになされている。
【００６４】
従って、面発光ダイオード１３１が発光することにより、ワークステーション２００の筺体の外部（正面２００−１側）からは、略球形状の、立体的な出光部１４２が発光しているように見える。これにより、例えば、図８に示されるように、正面２００−１に対して真正面から見た場合も、図９に示されるように、正面２００−１に対して斜め方向から見た場合も、出光部１４２は円形状に見える。さらに、設置台１０１も暗部に設置されているので見えにくく、出光部１４２は、宙に浮いて発光する球体のように見える。
【００６５】
このように、インジケータ１００は、単に内部状態を通知するだけの従来のインジケータと異なり、意匠的な面白みを持ち、高い意匠性を有する。
【００６６】
また、例えば、ワークステーション２００が正常動作している時、面発光ダイオード１３１は青色に発光し、出光部１４２はその青色の光を出射する（出光部１４２が青色に点灯しているように見える）。上述したように、正面２００−１は、全体が概ね黒色で構成され、パンチ穴パネル２０１と枠部材２０２により略長方形に形成される。そしてその中央付近において出光部１４２が球状に青色に点灯することにより、正面２００−１全体が細胞を連想させる意匠となっている。つまり、パンチ穴パネル２０１が細胞質を連想させ、枠部材２０２が細胞壁を連想させ、出光部１４２が細胞核を連想させる意匠となっている。
【００６７】
図１０は、図６のワークステーション２００の設置例を示す図である。
【００６８】
図１０に示されるように、ワークステーション２００は、１台のみで利用される場合よりも、複数台を連携させて使用する場合の方が多い。図１０の例では、複数台のワークステーション２００（ワークステーション２００Ａ乃至ワークステーション２００Ｋ）が縦方向に重ねるように所定のラック２５１に設置されている。このようなワークステーション２００Ａ乃至ワークステーション２００Ｋは、一部または全部が他のワークステーション２００と互いに独立して動作し、全く異なる処理を行うようにしてもよいが、ワークステーション２００Ａ乃至ワークステーション２００Ｋの一部または全部を互いに連携して動作させるようにし、３次元レンダリング処理等の高負荷のAVデータ処理をワークステーション２００全体で行うようにしてもよい。
【００６９】
このような場合、図１０に示されるように、各ワークステーション２００の正面２００−１が並ぶことになる。つまり、各ワークステーション２００の正面２００−１が連想させる細胞が並んでいるように見えるので、ワークステーション２００の集合全体で、１つの生命体を連想させるような意匠性を有する。つまり、この意匠により、相互に連携して処理を行うことも象徴している。
【００７０】
なお、各ワークステーション２００の出光部１４２（出光部１４２Ａ乃至出光部１４２Ｋ）は、その発光色や点滅等により、各ワークステーション２００の動作状態を示す。
【００７１】
例えば、ワークステーション２００の電源が切断された場合、発光制御部１７１は、面発光ダイオード１３１を構成する面発光ダイオード群の全ての発光を止める。これにより、出光部１４２が消灯しているように見える。また、例えば、ワークステーション２００が正常に動作している場合、発光制御部１７１は、面発光ダイオード１３１を構成する面発光ダイオード群のうち、青色に発光する面発光ダイオードを発光させる。これにより、出光部１４２が青色に点灯しているように見える。さらに、例えば、ワークステーション２００の動作に異常が発生した場合、発光制御部１７１は、面発光ダイオード１３１を構成する面発光ダイオード群のうち、赤色に発光する面発光ダイオードを発光させる。これにより、出光部１４２が赤色に点灯しているように見える。
【００７２】
このように状態の通知を、出光部１４２の簡易な情報提示により行うことにより、図１０に示されるように、複数台のワークステーション２００が重ねて使用する場合でも、ユーザは、異常が発生したワークステーション２００を容易に特定することができる。
【００７３】
なお、出光部１４２の点灯色（面発光ダイオード１３１の発光色）について、どの状態に何色を割り当てるかは任意である。
【００７４】
また、以上においては、発光制御部１７１は、面発光ダイオード１３１の発光色（出光部１４２の点灯色）を変化させることによりワークステーション２００の動作状態の変化を示すように説明したが、この他にも例えば、面発光ダイオード１３１の発光（若しくはその輝度）を任意の周期的なパターンで変化させる（例えば、点滅させる）ことにより、ワークステーション２００の動作状態の変化を示すようにしてもよい。
【００７５】
次に、ワークステーション内部の構成について説明する。図１１は、ワークステーション２００の内部の構成例を示すブロック図である。図１１に示されるように、図６のワークステーション２００は、マイクロプロセッサ３０１、XDR-RAM（Extreme Data Rate-Random Access Memory）３０３、サウスブリッジ３０４、HDD（Hard Disk Drive）３０５、およびUSB（Unallocated Space Bitmap）インタフェース（USB I/F）３０６を有する。
【００７６】
マイクロプロセッサ３０１とXDR-RAM３０３は、バス３１２を介して接続される。また、マイクロプロセッサ３０１には、サウスブリッジ３０４が接続される。そのサウスブリッジ３０４にはHDD３０５、および、USBインタフェース３０６が接続されている。
【００７７】
またサウスブリッジ３０４には、さらに、PCIバス（Peripheral Components Interconnect bus）３５０を介して、LAN（Local Area Network）やインターネットに代表されるネットワークのインタフェース処理を行うネットワークインタフェース３５１や、CD（Compact Disc）、DVD（Digital Versatile Disc）、MD（Mini-Disc）、またはフラッシュメモリ等の、リムーバブルメディア３５３が適宜装着されるドライブ３５２が接続される。
【００７８】
マイクロプロセッサ３０１は、OS（Operating System）等の基本プログラムを実行する汎用のメインCPUコア３４１と、メインCPUコア３４１に内部バス３４５を介して接続された複数（この場合８個）のRISC（Reduced Instruction Set Computer）タイプの信号処理プロセッサ（以下、これをサブCPUコアと称する）３４２−１乃至３４２−８と、例えば２５６[MByte]の容量を持つXDR-RAM３０３に対するメモリコントロールを行うメモリコントローラ３４３と、サウスブリッジ３０４との間でデータの入出力を管理するI/O（In/Out）コントローラ３４４とが１チップに集積されたマルチコア構成でなり、例えば動作周波数４[GHz]を実現している。
【００７９】
このマイクロプロセッサ３０１は、例えば、AVデータに対して３次元のレンダリング処理等の役割を担い、処理結果を、サウスブリッジ３０４を介して、HDD３０５に供給して記憶させることができる。
【００８０】
また、マイクロプロセッサ３０１は、処理される処理中に生成される、または、AVデータが当初より有する種々のパラメータを抽出する処理も実行可能なようになされている。
【００８１】
特に、マイクロプロセッサ３０１では、８個のサブCPUコア３４２−１乃至サブCPUコア３４２−８が、３次元レンダリング処理の役割をそれぞれ担い、８個のCPUコア３４２−１乃至サブCPUコア３４２−８が、各処理を同時並列的にエンコードすることが可能である。
【００８２】
このように、マイクロプロセッサ３０１は、８個のサブCPUコア３４２−１乃至３４２−８によって同時並列的にAVデータ処理を実行することができるようになされている。
【００８３】
またメインCPUコア３４１は、８個のサブCPUコア３４２−１乃至サブCPUコア３４２−８が行う以外の処理や管理を行うようになされており、サウスブリッジ３０４を介してHDD３０５、USBインタフェース３０６、ネットワークインタフェース３５１、およびドライブ３５２に装着されたリムーバブルメディア３５３とデータの授受を行ったりする。
【００８４】
すなわち、マイクロプロセッサ３０１は、起動時、HDD３０５に格納された制御プログラムに基づき、HDD３０５に格納されている必要なアプリケーションプログラムを読み出してXDR-RAM３０３に展開し、この後このアプリケーションプログラム及びオペレータ操作に基づいて必要な制御処理を実行する。
【００８５】
サウスブリッジ３０４には、さらに、システムコントローラ３６０も接続されている。このシステムコントローラ３６０は、マイクロプロセッサ３０１にも接続される。さらに、システムコントローラ３６０は、インジケータ１００の面発光ダイオード１３１の発光を制御するLED制御部３６１にも接続されている。システムコントローラ３６０は、マイクロプロセッサ３０１より通知される動作状態に基づいて、このLED制御部３６１を制御し、ワークステーション２００の動作状態に応じて面発光ダイオード１３１を発光させる。つまり、システムコントローラ３６０およびLED制御部３６１が、発光制御部１７１として機能する。例えば、システムコントローラ３６０は、LED制御部３６１を制御して、発光させる面発光ダイオードの数を制御させることにより、面発光ダイオード１３１の発光量を制御することができる。また、例えば、システムコントローラ３６０は、LED制御部３６１を制御して、発光させる面発光ダイオードを切り替えることにより、面発光ダイオード１３１の発光色を制御することができる。
【００８６】
以上にインジケータ１００の構成例を説明したが、設置台１０１、基板１０２、および透明部材１０３の各構成の形状は任意であり、上述した以外であってもよい。例えば、透明部材１０３の導光部１４１は、略円筒状であるように説明したが、設置台１０１の孔部１２４に嵌合可能であれば、例えば図１２に示されるように、上述した以外であってもよい。
【００８７】
図１２は、導光部の他の例を示す模式図である。図１２において、透明部材４０３は、図３の透明部材１０３と同等の、設置台１０１の孔部１２４に嵌合可能であり、面発光ダイオード１３１より発せられた光を受光し、その受光した光を、導光部４４１内部を透過させ、出光部４４２より出射させる部材である。
【００８８】
この透明部材の導光部４４１は、図３の導光部１４１の場合と異なり、円筒の直径が、出光部近傍において徐々に細くなっている。この細くなる部分の表面は、例えば黒色に着色される等、外部に対して遮光するように表面処理が施されている。これにより、矢印４５１や矢印４５２に示されるように、受光面より受光された光の一部は、この導光部４４１の細くなる部分において反射されて、その光路の方向が変えられ、出光部４４２の表面のより広範な部分に照射されるようになる。
【００８９】
例えば、図５を参照して説明したように、導光部１４１の場合、導光部１４１内部を透過した透過光は、出光部１４２の導光部１４１より遠い部分により多く照射され、出光部１４２の導光部１４１に近い部分には、その反射光が多く照射されるようになる。これにより、出光部１４２表面全体の出射光において光量（出射光量）に多少偏りが生じてしまう。出射光量の偏りが過度になると、見る角度によって、出光部１４２が円形に点灯しているように見えなくなる恐れもある。
【００９０】
そこで、図１２に示されるように、導光部４４１において光路の方向を意図的に変化させることにより、導光部４４１から出光部４４２に誘導された光が出光部４４２の表面のより広範な範囲に照射されるようにし、出光部４４２における出射光量の偏りを低減させることができる。出射光量がより均一になることにより、点線矢印４５３および点線矢印４５４に示されるように、より広い角度から、出光部が円形に発光しているように見えるようにすることができる。
【００９１】
なお、以上においてはインジケータ１００の設置例について説明したが、インジケータ１００は、ワークステーション２００の任意の場所に設置することができる。例えば、筺体の外部に設置するようにしてももちろんよい。
【００９２】
また、以上においては、インジケータ１００が、ワークステーション２００の内部動作状態を通知するように説明したが、インジケータ１００は、どのような情報を通知するものであってもよい。
【００９３】
図１３は、インジケータ１００の他の適用例を説明する模式図である。
【００９４】
例えば、図１３Ａの場合、インジケータ１００は、スイッチの電気的な接続状態を示す。図１３Ａに示されるように、基板１０２には、可動部を押下されることにより、所定の電気回路の端子間の電気的な接続状態を切り替えるスイッチ４６１が設けられている。このスイッチ４６１の可動部は、透明部材１０３の受光面に対向する。このとき、インジケータ１００（少なくとも透明部材１０３の出光部１４２）は、外部に露出しており、ユーザが出光部１４２を、矢印４７１に示されるように、奥（基板１０２に向かう方向に）に向かって押下することができるようになされている。
【００９５】
ユーザに出光部１４２を押下されると、透明部材１０３全体が設置台１０１に対して、矢印４７２に示されるように孔部１２４の奥に押し込まれる。これにより、透明部材１０３が受光面においてスイッチ４６１の可動部を押下するので、そのスイッチ４６１によって、電気回路の端子間の電気的な接続状態が切り替えられる。つまり、スイッチ４６１によって、その端子間が電気的に接続されたり切断されたりする。
【００９６】
発光制御部４６２は、そのスイッチ４６１による、電気回路の端子間の電気的な接続状態の切り替えに基づいて、面発光ダイオード１３１の発光を制御する。つまり発光制御部４６２は、スイッチ４６１の動作に基づいて、端子間の電気的な接続状態を把握し、その接続状態毎に異なる方法で（例えば発光色を変更する等して）面発光ダイオード１３１を発光させる（発光状態を変化させる）。
【００９７】
以上のように、図１３Ａの場合、インジケータ１００は、スイッチ４６１によって切り替えられる、端子間の電気的な接続状態を示すインジケータとして機能するとともに、端子間の電気的な接続状態を切り替えるためのユーザインタフェース（すなわち、スイッチ４６１の可動部の一部）としても機能する。つまり、ユーザにとっては、スイッチ（の可動部）が、そのスイッチによって制御される端子間の接続状態を示すインジケータとして機能することになる。
【００９８】
また、例えば、図１３Ｂに示されるように、インジケータ１００が可変抵抗の抵抗値を変化させるユーザインタフェースとして機能するとともに、その抵抗値を示すインジケータとして機能するようにしてもよい。
【００９９】
図１３Ｂに示されるように、導光部１４１の円筒面の一部に平歯車の歯のように凹凸４８１が形成される。また、この凹凸４８１と対応する凹凸を有し、軸４９２を軸として回転可能な平歯車状の回転部４９１が、その凹凸が凹凸４８１と噛合するように設けられている。さらに、軸４９２の、長手方向を軸とする回転動作に応じて、所定の電気回路の端子間の抵抗値を変化させる可変抵抗４９３が基板１０２に設けられている。
【０１００】
このとき、インジケータ１００（少なくとも透明部材１０３の出光部１４２）は、外部に露出しており、ユーザが出光部１４２を、矢印５０１に示されるように、導光部１４１の長手方向を軸として回転方向に動かすことができるようになされている。
【０１０１】
ユーザが、矢印５０１に示されるように、出光部１４２を操作して、導光部１４１の長手方向を軸として回転方向に動かすと、透明部材１０３全体が矢印５０２に示されるように、導光部１４１の長手方向を軸として回転し、それにより、凹凸４８１に噛合する歯を有する回転部４９１を介して、軸４９２が、矢印５０３に示されるように、軸４９２の長手方向を軸として回転する。この回転により、可変抵抗４９３は、端子間の抵抗値を変化させる。
【０１０２】
その抵抗値は、発光制御部４９４に通知される。発光制御部４９４は、通知された抵抗値に基づいて面発光ダイオード１３１の発光を制御する。例えば、発光制御部４９４は、発光させる面発光ダイオードの数を制御して、抵抗値に応じた発光量で発光させる。
【０１０３】
このように、インジケータ１００は、インジケータとしての機能を有するユーザインタフェースとして機能させることもできる。
【０１０４】
以上のように、所定の発光面より光を発する発光部としての面発光ダイオード１３１と、その面発光ダイオード１３１により発せられた光を、面発光ダイオード１３１と対面するように発光面近傍に設けられた所定の受光面より受光し、中実構造の透明部材１０３の内部を透過させ、立体形状を有する部位である立体の出光部１４２の表面から外部に出射する、面発光ダイオード１３１とは別体として構成される透明部材１０３と、面発光ダイオード１３１が配置された基板１０２、および、透明部材１０３を、透明部材１０３のの受光面が面発光ダイオード１３１の平面近傍において面発光ダイオード１３１と対面するような位置に支持し、さらに、透明部材１０３が出光部１４２のみから光を出射するように透明部材１０３の出光部１４２以外の部分（例えば導光部１４１）の表面を遮光するとともに、出射された光の出射方向から、光を出射する出光部１４２のみが見えるように、出射方向に対して、基板１０２および透明部材１０３の出光部１４２以外の部分（例えば、導光部１４１）を遮蔽する設置台１０１とを備えるようにすることにより、光を出射する出光部１４２のみが、インジケータ１００の外部から立体的に見えるようにし、インジケータとしての意匠性を向上させることができる。また、上述したように構造を単純化することにより、インジケータの製造および設計変更を容易かつ安価に行うことができる。
【０１０５】
なお、以上においてはインジケータについて説明したが、必ずしも情報処理装置（例えば、ワークステーション２００）の内部動作状態等を示す必要は無い。つまり、本発明は、インジケータ以外にも適用することができ、例えば照明装置や装飾品等のような、光を発する発光装置全般に適用することができる。特に、意匠性を求められるようなもの程、より大きな効果を奏することができる。
【０１０６】
また、上述した発光部は、光を発する光源として機能するものであればどのようなものでも適用することができる。例えば、上述した面発光ダイオード１３１以外にも、端面型の発光ダイオード、豆電球、または蛍光灯等、任意の発光体を用いることができる。ただし、発光部として発光ダイオードを用いることにより、例えば豆電球等を発光部とする場合と比較して、小型にすることができるとともに、消費電力を低減させることができる。また、一般的に発光ダイオードの方が豆電球等よりも寿命が長いので、交換頻度を低減させることもできる。さらに、構造上、発光ダイオードの方が豆電球等よりも破損の恐れが少ないので、交換作業等が容易になる。
【０１０７】
なお、透明部材１０３の内部は中実構造であるように説明したが、例えば、中空構造としてもよい。また、例えば、その中空構造の内部に何らかの液体を注入したり、固体を挿入したりする等、透明部材１０３が複数種類の部材により構成されるようにしてもよい。ただし、その場合、透明部材１０３の構造が複雑になり、その分製造コストは増大する。つまり、透明部材はより簡易な構造にするのが望ましい。
【０１０８】
また、設置台１０１が、透明部材１０３の出光部１４２以外の部分の表面を遮光するように説明したが、設置台１０１により遮光せずに、透明部材１０３の出光部１４２以外の部分の表面を黒色するなどして遮光するようにしてもよい。ただし、設置台１０１は、孔部１２４を設け、透明部材１０３をその孔部１２４に挿入するようにして固定させるだけで遮光することができるので、透明部材１０３を遮光するために構造が複雑になるようなことは無く、また、透明部材１０３の表面を黒色に加工する必要もないので、設置台１０１により遮光するようにする方が、より容易である。
【０１０９】
さらに、設置台１０１が、出光部１４２以外の部分を遮蔽する（隠蔽する）ように説明したが、出光部１４２以外の部分を露出させるようにしてももちろんよい。隠蔽により可視部を出光部１４２のみとすることにより、出光部１４２が発光体として見えるようにすることができるが、発光体でない出光部１４２以外の部分にも意匠性を持たせ、見えるようにすることにより、新たな意匠的な面白味を持たせることができる。
【０１１０】
また、面発光ダイオード１３１を配置した基板１０２と透明部材１０３を、それぞれ、設置台１０１より着脱可能とすることにより、基板１０２や透明部材１０３の交換を容易にすることができる。これによりメンテナンスのコストを低減させることができる。
【０１１１】
面発光ダイオード１３１は基板１０２に配置するように説明したが、必ずしも基板を用いる必要はない。ただし、例えば、面発光ダイオード１３１が複数の面発光ダイオードにより構成される場合は、図３に示されるように、それら複数の面発光ダイオードを全て１つの基板１０２に配置し、その基板１０２を設置台１０１より着脱可能とすることにより、全ての面発光ダイオードを一度にまとめて交換することができ、作業が容易になる。
【０１１２】
なお、基板１０２や透明部材１０３の設置台１０１への固定方法は任意である。ただし、より容易に着脱可能な方法で固定するのが望ましい。
【０１１３】
基板１０２の所定の面に配置された、それぞれが発光素子である複数の面発光ダイオードを、面発光ダイオード１３１とすることにより、耐久性を向上させることができる。例えば、面発光ダイオード１３１が、１つの面発光ダイオードにより形成される場合、その面発光ダイオードが破損したら点灯不能になるが、複数の面発光ダイオードからなる場合、その内のいくつかが破損しても、光量は変化するものの点灯は可能である。つまり、複数の面発光ダイオードを用いる方が、面発光ダイオード１３１としての耐久性は向上する。
【０１１４】
さらに、その複数の面発光ダイオードのそれぞれの発光を制御する発光制御部１７１を設けることにより、出光部１４２より出射される光の光量、すなわち、出光部１４２の発光の明るさ（輝度）を制御することができる。なお、例えば、発光ダイオードに印加する電圧を制御することにより、光量を調整することも可能であるが、面発光ダイオード１３１が複数の面発光ダイオードにからなる場合、それぞれの点灯および消灯を制御するだけで光量の調整が可能になる。
【０１１５】
また、面発光ダイオード１３１を、予め定められた１つの色で発光する単色発光ダイオードのみを用い、さらに、例えば青色に発光する単色発光ダイオードと赤色に発光する単色発光ダイオードのように、少なくとも２色以上の単色発光ダイオードを用いて形成するようにすることにより、面発光ダイオード１３１全体において、複数色を混在させて多様な（任意の）色で発光させることができ、発光装置の意匠性を向上させることができる。
【０１１６】
さらに、発光させる発光素子を切り替えることにより、面発光ダイオード１３１全体が発する光の色を制御する発光制御部１７１を設けることにより、面発光ダイオード１３１全体において、多色発光が可能になる。これにより、例えば、出光部１４２を赤色に点灯させたり、青色に点灯させたりすることができる。これにより発光装置の意匠性はさらに向上する。
【０１１７】
また、出光部１４２の形状は、立体的であれば任意であるが、例えば、略球形状に形成させることにより、出光部１４２の表面全体の出射光の光量をより均一にすることができ、任意の方向からみても見た目の形状が変化しないようにすることができる。逆に、敢えて出射光の光量に偏りを生じさせ、見る角度によって見え方（形状）が異なるようにしてもよいが、インジケータとしては、出光部１４２の見かけ上の光り方の変化は、内部状態等の変化を示すので、見る角度によって見え方が異なるのは好ましくない。
【０１１８】
また、出光部１４２の表面に光を拡散するような表面処理を施したり、透明部材１０３を、内部を透過する光を拡散させる光拡散材により形成させたりすることも可能である。これらにより、出光部１４２の表面全体の出射光の光量をより均一にすることができる。
【０１１９】
なお、上述したように、透明部材１０３が、受光面で受講した光を出光部１４２に誘導する導光部１４１を有するようにしてもよい。これにより、出光部１４２を面発光ダイオード１３１から離すことができるので、出光部１４２のみを露出させ、その他の構成を隠蔽することが容易になる。
【０１２０】
また、その導光部１４１が基本的に略円筒状に形成され、さらに、出光部１４２の近傍において、その円筒が出光部１４２に向かって徐々に細くなるようにし、透明部材１０３内部を透過する光が、その内部においてより拡散し、出光部１４２の表面全体からより均一に出射させるようにすることができる。
【０１２１】
スイッチ４６１をさらに設け、透明部材１０３が前後に動くことによりそのスイッチ４６１の可動部分が押下され、接続が切り替わるようにし、インジケータ１００（出光部１４２）の発光がスイッチの接続状態を示すようにしてもよい。
【０１２２】
また、スイッチ４６１の代わりに可変抵抗４９３を設け、透明部材１０３が回転することにより、その可変抵抗４９３の抵抗値が変化するようにし、インジケータ１００（出光部１４２）の発光が、可変抵抗の抵抗値を示すようにしてもよい。
【０１２３】
なお、以上において、１つの装置として説明した構成を分割し、複数の装置として構成するようにしてもよい。逆に、以上において複数の装置として説明した構成をまとめて１つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。
【図面の簡単な説明】
【０１２４】
【図１】従来のインジケータの例を説明する図である。
【図２】従来のインジケータの、他の例を説明する図である。
【図３】本発明を適用したインジケータの外観を示す斜視図である。
【図４】図３のインジケータの外観を示す、他の角度からの斜視図である。
【図５】図３のインジケータの発光の様子を説明する模式図である。
【図６】本発明を適用したワークステーションの外観を示す斜視図である。
【図７】インジケータの設置の例を説明する斜視図である。
【図８】図６の出光部の見え方の例を説明する図である。
【図９】図６の出光部の、他の角度からの見え方の例を説明する図である。
【図１０】ワークステーションの設置例を示す図である。
【図１１】図６のワークステーションの内部の構成例を示すブロック図である。
【図１２】透明部材の他の構成例を説明する模式図である。
【図１３】インジケータの他の構成例を説明する模式図である。
【符号の説明】
【０１２５】
１００  インジケータ，  １０１  設置台，  １０２  基板，  １０３  透明部材，  １１１  基板装着部，  １１２および１１３  ツメ，  １２１  透明部材装着部，  １２２および１２３  凸部，  １２４  孔部，  １２５および１２６  溝，  １３１  面発光ダイオード，  １４１  導光部，  １４２  出光部，  １４３および１４４  凸部，  １７１  発光制御部，  ２００  ワークステーション，  ２０１  パンチ穴パネル，  ２０２  枠部材，  ３０１  マイクロプロセッサ，  ３６０  システムコントローラ，  ３６１  LED制御部，  ４４１  導光部，  ４４２  出光部，  ４６１  スイッチ，  ４６２  発光制御部，  ４８１  凹凸，  ４９１  回転部，  ４９２  軸，４９３  可変抵抗，  ４９４  発光制御部
【図１】
2009042310.tif 000003
【図２】
2009042310.tif 000004
【図３】
2009042310.tif 000005
【図４】
2009042310.tif 000006
【図５】
2009042310.tif 000007
【図６】
2009042310.tif 000008
【図７】
2009042310.tif 000009
【図８】
2009042310.tif 000010
【図９】
2009042310.tif 000011
【図１０】
2009042310.tif 000012
【図１１】
2009042310.tif 000013
【図１２】
2009042310.tif 000014
【図１３】
2009042310.tif 000015